(57)【要約】  一群の煙草物品を囲繞する平行六面体形状である少なくとも１つの包装体と、内側容積空間が、包装体を収容する頂部チャンバ、及び、利用可能である底部チャンバに分割された剛性容器と、容器に対して枢着された剛性蓋体と、Ｕ字形状に折り曲げられると共に容器の内部に配置された剛性カラーと、底部チャンバの領域内に配置されると共にカップ形状を有する引出しであって、前記引出しが完全に容器の内側に配置される閉じ位置と、前記引出しが容器から部分的に引き出されると共に前記容器から外方に突出する開き位置と、の間における線形運動により、摺動開口を有する、引出しと、最大開き位置における容器からの引出しの外方移動を停止させる機能、すなわち、容器からの引出しの引き出し移動に対する最大限度を設定することにより引出しが容器から完全に引き出されることを阻止する機能を達成する限界停止デバイスとを有する、煙草物品用の剛性箱体。【選択図】図５
2019516631.tif 000002
【特許請求の範囲】
【請求項１】
一群の煙草物品と、
前記一群の煙草物品を収容し、且つ、頂部開口と、前壁部（６）と、前記前壁部（６）に対向する後壁部（８）と、相互に対向する２つの側壁部（７）とを備える容器（２）と、
頂壁部（１０）と、前壁部（１１）と、前記前壁部（１１）に対向すると共に前記容器（２）の前記後壁部（６）に対して接続された後壁部（１２）と、相互に対向する２つの側壁部（１３）とを備える蓋体（８）と、
引出し（２３）が完全に前記容器（２）の内部に配置される閉じ位置と、前記引出し（２３）が前記容器（２）から部分的に引き出され、前記容器（２）から外方に突出し、且つ、外部からアクセス可能である開き位置との間における摺動様式で前記容器（２）内に取付けられた引出し（２３）と、
前記容器（２）からの前記引出し（２３）の外方移動を停止させる機能、すなわち、前記引出し（２３）が前記容器（２）から完全に引き出されることを阻止することにより前記容器（２）からの前記引出し（２３）の外方移動に対する最大限度を確立する機能を達成する限界停止デバイス（２９）とを備える、煙草物品用の剛性箱体（１）において、
前記引出し（２３）は、底壁部（２５）と、前壁部（２６）と、前記前壁部（２６）に対向する後壁部（２７）と、相互に対向する２つの側壁部（２８）とを備え、且つ、
前記容器（２）の内側容積空間は、前記一群の煙草物品を収容する頂部チャンバ（１７）と、前記引出し（２３）を収容する底部チャンバ（１８）とに分割される、煙草物品用の剛性箱体（１）。
【請求項２】
前記限界停止デバイス（２９）は、
各々が、前記引出し（２３）が貫通して移動する引き出し用開口（２４）の縁部の領域において前記容器（２）の壁部（７、５、６）に対して接続され、且つ、前記容器（２）の内側に向けて突出する２つの第１停止タブ（３０）と、
各々が、前記引出し（２３）の壁部（２８、２６、２７）に対して接続され、且つ、前記引出し（２３）の外側に向けて突出する２つの第２停止タブ（３１）と、を備える、請求項１に記載の煙草物品用の剛性箱体（１）。
【請求項３】
前記蓋体（８）の前記頂壁部（１０）に対して平行であり、且つ、前記頂部チャンバ（１７）を前記底部チャンバ（１８）から分離する分割壁部（１９）が配備される、請求項１又は２に記載の煙草物品用の剛性箱体（１）。
【請求項４】
Ｕ字形状に折り曲げられ、頂端部から部分的に外方に突出すべく前記容器（２）の内部に配置された剛性カラー（１４）であって、相互に対向する前壁部（１５）及び２つの側壁部（１６）を備える剛性カラー（１４）を備える、請求項１、２又は３に記載の煙草物品用の剛性箱体（１）。
【請求項５】
前記剛性カラー（１４）は、前記蓋体（８）の前記頂壁部（１０）に平行な分割壁部（１９）であって、前記頂部チャンバ（１７）を前記底部チャンバ（１８）から分離する分割壁部（１９）を備え、
前記分割壁部（１９）は、前記剛性カラー（１４）の前記前壁部（１５）に対して横方向折り目に沿って接続され、且つ、前記剛性カラー（１４）の前記前壁部（１５）に対して９０°だけ折り曲げられ、且つ、
前記分割壁部（１９）は、前記分割壁部（１９）に対して横方向折り目に沿って接続された接続タブ（２０）であって、前記分割壁部（１９）に対して９０°だけ折り曲げられ、且つ、前記容器（２）の前記後壁部（６）に当接して着座し且つそれに対して接着される接続タブ（２０）を備えている、請求項４に記載の煙草物品用の剛性箱体（１）。
【請求項６】
前記容器（２）は、前記頂部開口に対向する底壁部（４）を備え、
前記引出し（２３）は、横方向に、すなわち、前記容器（２）の前記底壁部（４）と前記蓋体（８）の前記頂壁部（１０）とに対して平行であり、且つ、前記容器（２）の前記各側壁部（７）と前記蓋体（８）の前記各側壁部（１３）とに対して直交する移動方向に、移動し、且つ、
前記容器（２）の１つの側壁部（７）は、前記引出し（２３）が貫通して移動する引き出し用開口（２４）を有する、請求項１〜５のいずれか一項に記載の煙草物品用の剛性箱体（１）。
【請求項７】
前記限界停止デバイス（２９）は、各々が、前記引出し（２３）が貫通して移動する引き出し用開口（２４）の縁部の領域において、前記容器（２）の壁部（７、５、６）に対して接続され、且つ、前記容器（２）の内側に向けて突出する２つの第１停止タブ（３０）と、各々が、前記引出し（２３）の壁部（２８、２６、２７）に対して接続され、且つ、前記引出し（２３）の外側に向けて突出する２つの第２停止タブ（３１）とを備え、且つ、
前記引出し（２３）の前記前壁部（２６）及び後壁部（２７）は、それらから切り出された対応する第２停止タブ（３１）を担持する、請求項６に記載の煙草物品用の剛性箱体（１）。
【請求項８】
前記容器（２）及び前記蓋体（８）は、素材（３３）であって、
２本の縦方向折り目（３４）と、
複数本の横方向折り目（３５）であって、前記２本の縦方向折り目（３４）の間に、
前記蓋体（８）の前記前壁部（１１）を構成する第１パネル（１１'）と、
前記蓋体（８）の前記頂壁部（１０）を構成する第２パネル（１０'）と、
前記蓋体（８）の前記後壁部（１２）を構成する第３パネル（１２'）と、
前記容器（２）の前記後壁部（６）を構成する第４パネル（６'）と、
前記容器（２）の前記底壁部（４）を構成する第５パネル（４'）と、
前記容器（２）の前記前壁部（５）を構成する第６パネル（５'）とを形成する、複数本の横方向折り目（３５）とを有する、素材（３３）を折り曲げることにより獲得される、請求項６又は７に記載の煙草物品用の剛性箱体（１）。
【請求項９】
前記第６パネル（５'）は、前記第６パネル（５'）の両側上に夫々配置された２つの第１翼部（７'）であって、前記各縦方向折り目（３４）により前記第６パネル（５'）に対して接続され、且つ、前記容器（２）の前記２つの側壁部（７）の一部を構成する２つの第１翼部（７'）を有し、
前記第４パネル（６'）は、前記第４パネル（６'）の両側上に夫々配置された２つの第２翼部（７"）であって、前記各縦方向折り目（３４）により前記第４パネル（６'）に対して接続され、且つ、前記容器（２）の前記２つの側壁部（７）の一部を構成する２つの第２翼部（７"）を有し、
前記第６パネル（５'）は、対応する第１翼部（７'）と並置して配置された第３翼部（３０'）であって、前記第６パネル（５'）に対して縦方向折り目（３４）に沿って接続され、且つ、前記限界停止デバイス（２９）の第１停止タブ（３０）を構成する第３翼部（３０'）をも備え、
前記第４パネル（６'）は、対応する第２翼部（７"）に並置して配置された第４翼部（３０'）であって、前記第４パネル（６'）に対して縦方向折り目（３４）に沿って接続され、且つ、前記限界停止デバイス（２９）の第１停止タブ（３０）を構成する第４翼部（３０'）をも備える、請求項８に記載の煙草物品用の剛性箱体（１）。
【請求項１０】
前記容器（２）及び前記蓋体（８）は、
前記蓋体（８）の前記前壁部（１１）を構成する第１パネル（１１'）と、
前記蓋体（８）の前記頂壁部（１０）を構成すると共に、前記第１パネル（１１'）に対して横方向折り目（３５）に沿って接続された第２パネル（１０'）と、
前記蓋体（８）の前記後壁部（１２）を構成すると共に、前記第２パネル（１０'）に対して横方向折り目（３５）に沿って接続された第３パネル（１２'）と、
前記容器（２）の前記後壁部（６）を構成すると共に、前記第３パネル（１２'）に対して横方向折り目（３５）に沿って接続された第４パネル（６'）と、
前記容器（２）の側壁部（７）を構成すると共に、前記第４パネル（６'）に対して縦方向折り目（３４）に沿って接続された翼部（７'）と、
前記容器（２）の前記前壁部（５）を構成すると共に、前記第４パネル（６'）とは逆側にて前記第１翼部（７'）に対して縦方向折り目（３４）に沿って接続された第５パネル（５'）とを有する素材（３３）を折り曲げることにより獲得される、請求項６又は７に記載の煙草物品用の剛性箱体（１）。
【請求項１１】
前記容器（２）は、前記頂部開口とは逆側の引き出し用開口（２４）であって、前記引出し（２３）が貫通して移動する引き出し用開口（２４）を有し、且つ、
前記引出し（２３）は、縦方向に、すなわち、前記蓋体（８）の前記頂壁部（１０）に対して直交し、且つ、前記容器（２）の前記各側壁部（７）及び前記蓋体（８）の前記各側壁部（１３）に対して平行である移動方向に、移動する、請求項１〜５のいずれか一項に記載の煙草物品用の剛性箱体（１）。
【請求項１２】
前記限界停止デバイス（２９）は、各々が、前記引出し（２３）が貫通して移動する引き出し用開口（２４）の縁部の領域において前記容器（２）の壁部（７、５、６）に対して接続され、且つ、前記容器（２）の内側に向けて突出する２つの第１停止タブ（３０）と、各々が、前記引出し（２３）の壁部（２８、２６、２７）に対して接続され、且つ、前記引出し（２３）の外側に向けて突出する２つの第２停止タブ（３１）と、を備え、
前記容器（２）及び前記蓋体（８）は、前記容器（２）の前記後壁部（６）を構成する第１パネル（６'）と、前記容器（２）の前記前壁部（５）を構成する第２パネル（５'）とを有する素材（３３）を折り曲げることにより獲得され、
前記第４パネル（６'）と前記第５パネル（５'）との間において、前記素材（３３）には、前記２つの第１停止タブ（３０）を構成する２つの翼部（３０'）であって、各々が対応するパネル（５'、６'）に対して横方向折り目（３５）に沿って接続される２つの翼部（３０'）が介設され、且つ、
前記２つの第１停止タブ（３０）を構成する前記２つの翼部（３０'）は、最初は、前記２つの翼部（３０'）を分離するために前記素材（３３）の折り曲げの間に裂断される裂断可能ライン（４７）により接続されている、請求項１１に記載の煙草物品用の剛性箱体（１）。
【請求項１３】
前記引出し（２３）の壁部（２８）は第１アクセス開口（４７）を有し、それを通してユーザは前記引出し（２３）の内部にアクセスし得る、請求項１１又は１２に記載の煙草物品用の剛性箱体（１）。
【請求項１４】
前記容器の壁部（７）は第２アクセス開口（４９）を有し、それを通してユーザは前記引出し（２３）の内部にアクセスし得る、請求項１１、１２又は１３に記載の煙草物品用の剛性箱体（１）。
【請求項１５】
前記引出し（２３）は頂壁部（４５）を備える、請求項１〜１４のいずれか一項に記載の煙草物品用の剛性箱体（１）。
【請求項１６】
前記容器（２）の少なくとも２つの壁部（５、６、７）は、内側に位置する前記引出し（２３）の壁部（２６、２７、２８）をユーザが把持することを許容する夫々の爪形状の保持用凹所（３２）を備える、請求項１〜１５のいずれか一項に記載の煙草物品用の剛性箱体（１）。
【請求項１７】
前記頂部チャンバ（１７）及び前記底部チャンバ（１８）は概略的に、全容積の略々半分に等しい同一の容積を有する、請求項１〜１６のいずれか一項に記載の煙草物品用の剛性箱体（１）。
【請求項１８】
前記煙草物品は、エーロゾルを生成すべく電気抵抗器により加熱されるに適した実際の煙草で作成された円筒体から成る新世代HeatStickタバコである、請求項１〜１７のいずれか一項に記載の煙草物品用の剛性箱体（１）。
【発明の詳細な説明】
【技術分野】
【０００１】
本発明は、蓋体を備えると共に底部に引出し容器が配備された煙草物品用の剛性箱体に関する。
【０００２】
本発明は、一切の汎用性を失うことなく以下の説明が明示的な参照を行う（“HeatStick”とも称される）新世代の無煙タバコ（smoke-free cigarette）に対して好適な用途が見出される。
【背景技術】
【０００３】
（“HeatStick”とも称される）新世代の無煙タバコは最近において市場に投入されたものであり、これは、もはや直接的な燃焼には委ねられない（すなわち、それは、燃やされない、すなわち、火炎により“火を付け”られない）が、喫煙者により吸入されるエーロゾルを生成すべく電気抵抗器により加熱される（ことから、煙も灰も生成しない）実際の煙草で作成された円筒体から成る。結果として、新世代HeatStickタバコを吸うために、電気抵抗器が配備されると共にHeatStickタバコの端部が挿入される電子デバイスが使用される。
【０００４】
新世代HeatStickタバコは円筒の形状を有し、それらは、概略的に習用的なタバコの直径を有すると共に、習用的なタバコに関して相当に減少された長さ（約半分）を有することから、一群の新世代HeatStickタバコを収容するために、枢着蓋体付き剛性箱体であって、習用的なタバコの剛性箱体と同様の断面積、及び、習用的なタバコの箱体に関して略々半分の高さを有する剛性箱体が提案されてきた。一群の新世代HeatStickタバコを収容する枢着蓋体付き剛性箱体の例は、ある特許文献において提供されている（例えば、特許文献１参照。）。
【０００５】
しかし、市場調査によれば、消費者は、新世代HeatStickタバコに対して肯定的な反応を示したが、（喫煙者が数十年に亙り慣れてきた習用的なタバコの箱体の高さとは異なる）新世代HeatStickタバコを販売するための剛性箱体の減少高によれば（特に蓋体を開けることによりタバコが抜き出されるべきときに）該剛性箱体の取扱いが更に困難とされることから、該剛性箱体を殆ど評価しないことが示された。たとえば、一群の新世代HeatStickタバコを収容する枢着蓋体付き剛性箱体において、蓋体と、下側に位置するカップ形状本体との間に適切な比率を維持するために（すなわち、カップ形状本体を小さくし過ぎて把持することを非常に困難としないために）、蓋体のサイズを減少することが必要とされるので、各タバコに対するアクセス性が阻害される。
【０００６】
別の特許文献には、一群のタバコと、内側容積空間が、一群の煙草物品を収容する頂部チャンバ、及び、利用可能なままである底部チャンバに分割される容器と、前記容器に対して枢着された蓋体と、前記底部チャンバ内に配置された引出しであって、該引出しが完全に前記容器の内側に配置される閉じ位置と、該引出しが前記容器から部分的に引き出され、該容器から外方に突出し、外部からアクセス可能である開き位置との間における摺動様式で前記容器内に取付けられた引出しと、を備えるタバコの剛性箱体が記載されている（例えば、特許文献２及び３参照。）。
【先行技術文献】
【特許文献】
【０００７】
【特許文献１】国際公開第２０１６／１６６６９２号
【特許文献２】英国特許出願公開第１０３６１３３号明細書
【特許文献３】仏国特許出願公開第２４９５４４４号明細書
【特許文献４】伊国特許出願第２０１５Ａ０００１８５号
【発明の概要】
【発明が解決しようとする課題】
【０００８】
本発明の目的は、蓋体を備えると共に底部に引出し容器が配備された煙草物品用の剛性箱体であって、上述の欠点が無いことに加え、実施することが容易かつ安価である煙草物品用の剛性箱体を提供することである。
【課題を解決するための手段】
【０００９】
本発明に依れば、添付の各請求項に特許請求された如き、蓋体を備えると共に底部に引出し容器が配備された煙草物品用の剛性箱体が実現される。
【００１０】
本発明は次に、非限定的な実施例の幾つかの例を示す添付図面を参照して記載される。
【図面の簡単な説明】
【００１１】
【図１】本発明に従い作成されると共に閉じ形態に在るタバコの箱体の前方斜視図である。
【図２】閉じ形態における図１のタバコの箱体の後方斜視図である。
【図３】頂部において開かれた形態における図１のタバコの箱体の前方斜視図である。
【図４】図１のタバコの箱体の頂部部分の概略的な縦断面図である。
【図５】底部にて開かれた形態における図１のタバコの箱体の前方斜視図である。
【図６】図１のタバコの箱体の底部部分の概略的な断面図である。
【図７】図１のタバコの箱体の容器及び蓋体を構成すべく使用される素材の平面図である。
【図８】図１のタバコの箱体のカラーを構成すべく使用される素材の平面図である。
【図９】図１のタバコの箱体の引出しを構成すべく使用される素材の平面図である。
【図１０】図７の素材の代替例の平面図である。
【図１１】本発明に従い作成されると共に閉じ形態に在るタバコの箱体の別実施例の前方斜視図である。
【図１２】閉じ形態における図１１のタバコの箱体の後方斜視図である。
【図１３】底部から開かれた形態における図１１のタバコの箱体の前方斜視図である。
【図１４】図１１のタバコの箱体の容器及び蓋体を構成すべく使用される素材の平面図である。
【図１５】図１１のタバコの箱体の引出しを構成すべく使用される素材の平面図である。
【図１６】図１１のタバコの箱体の代替例の閉じ形態における前方斜視図である。
【図１７】閉じ形態における図１６のタバコの箱体の後方斜視図である。
【図１８】底部にて開かれた形態における図１６のタバコの箱体の前方斜視図である。
【図１９】図１６のタバコの箱体の容器及び蓋体を構成すべく使用される素材の平面図である。
【図２０】図１６のタバコの箱体の引出しを構成すべく使用される素材の平面図である。
【発明を実施するための形態】
【００１２】
図１、図２及び図３において、番号１は、全体として、（不図示の）一群の新世代HeatStickタバコのための、タバコ用剛性箱体を示している。
【００１３】
（“HeatStick”とも称される）新世代の無煙タバコは、これは、もはや直接的な燃焼には委ねられない（すなわち、それは、燃やされない、すなわち、火炎により“火を付け”られない）が、喫煙者により吸入されるエーロゾルを生成すべく電気抵抗器により加熱される（ことから、煙も灰も生成しない）実際の煙草で作成された円筒体から成る。結果として、新世代HeatStickタバコを吸うために、電気抵抗器が配備されると共にHeatStickタバコの端部が挿入される電子デバイスが使用される。
【００１４】
タバコの箱体１は、剛性のボール紙もしくは厚紙で作成され、平行六面体形状を有すると共に、カップ形状の剛性容器２と、該容器２の内側に収容された（図３において部分的に視認可能である）包装体３とを備える。
【００１５】
容器２は、カップ形状であると共に、頂部開口と、該頂部開口に対向する底壁部４と、前壁部５と、該前壁部５に対向する後壁部６と、相互に対向された２つの側壁部７とを有している。各壁部５、６及び７の間には４つの縦方向縁部が形成される一方、各壁部４、５、６及び７の間には４つの横方向縁部が形成される。
【００１６】
容器２は、（該容器２の底壁部４に配置されると共に図２において視認可能である）ヒンジ９に沿って該容器２に対して枢着された剛性の蓋体８であって、該蓋体８が容器２の頂部開口を覆う（図１及び図２に示された）閉じ位置と、該蓋体８が容器２の頂部開口に対する自由なアクセスを許容する（図３に示された）開き位置との間で移動可能である蓋体８を備えている。該蓋体８は、カップ形状であると共に、底部開口と、該底部開口に対向する頂壁部１０と、前壁部１１と、該前壁部１１に対向すると共にヒンジ９により容器２の後壁部６に対して接続された後壁部１２と、相互に対向する２つの側壁部１３とを有している。各壁部１１、１２及び１３の間には４つの縦方向縁部が形成される一方、各壁部１０、１１、１２及び１３の間には４つの横方向縁部が形成される。
【００１７】
包装体３は、（不図示の）一群の新世代HeatStickタバコを囲繞すると共に、該包装体は、一群の新世代HeatStickタバコの回りで折り曲げられた金属被覆薄寸材製の包装材により形成される。別実施例に依れば、（たとえば、特許文献４において記載された如く、）包装体３は、シール形式であると共に、該包装体は、頂部及び前部にて、再使用可能な（すなわち、乾燥しない再位置決め可能な粘着剤を内側に備えた）シール・ラベルにより閉じられる抜出し用開口を有し、前記密閉用ラベルの接続タブは、該密閉用ラベルが蓋体８の移動を利用することにより“自動的に”開閉される様に、蓋体８の前壁部１１に対して接着され得る。更なる実施例に依れば、（特許文献４において記載された如く、）単一の包装体３の代わりに、対とされて並置された２つの包装体３が配備され、すなわち、単一の包装体３が、対とされて並置され且つ半分のサイズとされた２つの包装体３へと分割される。
【００１８】
図３に示された如く、タバコの箱体１は、（剛性のボール紙もしくは厚紙で作成された）剛性カラー１４を更に備え、これは、容器２の内側にＵ字形状に折り曲げられて（接着により）接続されて前記頂部開口から部分的に外方に突出すると共に、蓋体８自体が閉じ位置に配置されたときに該蓋体８の対応内側面と係合する。カラー１４は、容器２の前壁部５に対して接続（好適には接着）された前壁部１５であって、蓋体８が閉じ位置に在るときに該蓋体８の前壁部１１と接触する前壁部１５と、相互に対向する２つの側壁部１６であって、容器２の各側壁部７に対して接続（好適には接着）されると共に、蓋体８が閉じ位置に在るときに該蓋体８の各側壁部１３と接触する２つの側壁部１６とを備える。添付図面中に示された好適実施例に依れば、カラー１４の前壁部１５は、Ｕ字形状の凹所を有することで、タバコの抜き取りを容易とする。好適実施例に依れば、カラー１４の前壁部１５は、蓋体８が閉じ位置に在るときに該蓋体８の側壁部１６に係合すべく横方向に突出する一対の爪形状要素を備える（代替的に、カラー１４の前壁部１５は爪形状要素を有さなくても良い）。
【００１９】
もし包装体３がシール形式であるなら、該包装体３自体が、その内側部上に剛性の補強要素を備え得、この場合、カラー１４は、依然として存在し得るか、又は、省略もされ得る。
【００２０】
図４に示された如く、容器２の内側容積空間は、包装体３を収容する（図４において完全に視認可能な）頂部チャンバ１７、及び、利用可能であることから、付属具を収容し、もしくは、すでに使用されたので消耗されたタバコを収容し得る（図４において部分的に視認可能な）底部チャンバ１８へと分割される（新世代HeatStickタバコは、燃やされないので消費はされないが、それらの芳香成分が消尽したときに消耗することを銘記することが重要である）。新世代HeatStickタバコは円筒の形状を有し、それらは、概略的に習用的なタバコの直径を有すると共に、習用的なタバコに関して相当に減少された長さ（約半分のサイズ）を有することから、包装体３は、習用的な包装体と同一の横方向断面積を有すると共に、習用的な包装体に関して約半分の高さを有する。故に、タバコの箱体１（すなわち、容器２及び蓋体８）が習用的なタバコの箱体と同一のサイズを有すると仮定すると、頂部チャンバ１７及び底部チャンバ１８は、全容積の約半分に等しい略々同一の容積を有する（すなわち、２つのチャンバ１７及び１８は、全容積を半分に分割する）。この様にして、底部チャンバ１８は、頂部チャンバ１７内に収容された全ての新世代HeatStickタバコが消耗されたときに、それらの新世代HeatStickタバコを収納し得、換言すると、底部チャンバ１８が頂部チャンバ１７と略々同一の容積を有するという事実によれば、特定の技術的効果を獲得すること、すなわち、頂部チャンバ１７内に収容された全ての新世代HeatStickタバコが消耗されたときに、それらの新世代HeatStickタバコを底部チャンバ１８が収容することを許容することが意図される。
【００２１】
図４に示された好適実施例に依れば、容器２の底壁部４と蓋体８の頂壁部１０とに対して平行であると共に、頂部チャンバ１７を底部チャンバ１８から分離する（すなわち、容器２の内側容積空間を頂部チャンバ１７及び底部チャンバ１８へと分割する）分割壁部１９が配備される。図４に示された好適実施例に依れば、分割壁部１９は、カラー１４の一部であり、すなわち、該分割壁部は、横方向折り目に沿ってカラー１４の前壁部１５に対して接続されると共に、カラー１４の前壁部１５に対して９０°だけ折り曲げられる。図４に示された好適実施例に依れば、分割壁部１９は、横方向折り目に沿って該分割壁部１９に対して接続された接続タブ２０であって、該分割壁部１９に対して９０°だけ折り曲げられ、且つ、容器２の後壁部６に当接して着座かつ接着される接続タブ２０を備えている。図４に示された如く、カラー１４の前壁部１５は、容器２の前壁部５に当接して着座すると共に、容器２の前壁部５に対して接着剤２１により接着され、更に、接続タブ２０は、容器２の後壁部６に当接して着座すると共に、容器２の後部に対して接着剤２２により接着される。
【００２２】
図５に示された如く、タバコの箱体１は、底部チャンバ１８の領域内（すなわち、包装体３の下方）に配置された引出し２３であって、該引出し２３が完全に容器２の内側（すなわち、容器２の底部チャンバ１８の内側）に配置される（図１、図２及び図３に示された）閉じ位置と、該引出し２３が、容器２から部分的に引き出されると共に、容器２から外方に突出し、且つ、外部からアクセス可能である（図５に示された）開き位置と、の間において線形運動により摺動し得る（摺動開口を有する）引出し２３を更に備える。換言すると、引出し２３が完全に容器２の内側に挿入される（図１、図２及び図３に示された）閉じ位置と、該引出し２３に対するユーザによる直接的アクセスを許容するために該引出し２３が容器２から部分的に引き出される（図２に示された）開き位置との間で線形運動により移動するために、引出し２３自体が容器２に対して摺動することを許容すべく、容器２は引出し２３を摺動様式で収容する。不図示の代替実施例に依れば、引出し２３は、閉じ位置と開き位置との間における回転可能な移動により、摺動開口を有する。
【００２３】
開き位置と閉じ位置との間における引出し２３の移動を許容するために、容器２の壁部は、引出し２３が貫通して移動する引き出し用開口２４を有する。図１〜図５に示された実施例において、引出し２３は横方向に（すなわち、容器２の底壁部４と蓋体８の頂壁部１０とに対して平行であり、且つ、容器２の各側壁部７と蓋体８の各側壁部１３とに対して直交する移動方向に）移動することから、引出し２３に対する引き出し用開口２４は、容器２の側壁部７を貫通して形成される。
【００２４】
図５に示された如く、引出し２３は、平行六面体形状であると共に、容器２の底壁部４に対して平行であり且つそれに直面する底壁部２５と、容器２の前壁部５に対して平行な前壁部２６と、容器２の後壁部６に対して平行であり且つそれに直面する後壁部２７と、容器２の各側壁部７に対して平行な（１つのみが図５に示された）２つの側壁部２８とを有する。特に、（図１、図２及び図３に示された）閉じ位置において、（図１、図２及び図３においては示されない）引出し２３の側壁部２８は容器２の対応する側壁部７に直面する一方、（図１及び図３に示された）引出し２３の他方の側壁部２８は、容器２の対応する側壁部７と共面的であり、引き出し用開口２４の領域内に配置され、且つ、引き出し用開口２４自体を閉じる。
【００２５】
図６に示された如く、最大開き位置において容器２からの引出し２３の外方移動を停止する機能、すなわち、容器２からの引出し２３の引き出し移動の最大限度を設定することにより、引出し２３が容器２から完全に引き出されることを阻止する機能を達成する限界停止デバイス２９が配備される。限界停止デバイス２９は、２つの停止タブ３０を備え、その各々は、引き出し用開口２４の縁部の領域において容器２の側壁部７に対して接続されると共に、側壁部７から容器２の内部に向かって突出する。これに加え、限界停止デバイス２９は２つの停止タブ３１を備え、その各々は、引き出し用開口２４とは逆側の引出し２３の側壁部２８の近傍に配置されると共に、前壁部２６もしくは後壁部２７を側壁部２８自体に対して接続する縁部から開始して引出し２３の外側に向けて突出する。
【００２６】
（図９に示された）好適実施例に依れば、引出し２３の前壁部２６及び後壁部２７は、それらから切り出された対応する停止タブ３１を担持する。使用に際し、すなわち、引出し２３の引き出し移動の最終部分の間、各停止タブ３１は対応する停止タブ３０に係合（すなわち、結合して、内側に挿入）されることで、引出し２３の引き出し移動の停止を引き起こす（すなわち、引出し２３が容器２から完全に引き出されることを阻止する）。
【００２７】
図１、図２、図３及び図５に示された好適実施例に依れば、容器２の前壁部５及び後壁部６は、ユーザが、内側に位置する引出し２３の壁部２６及び２７を把持してから引出し２３を外側に向けて引き出すことで該引出し２３を閉じ位置から開き位置まで移動することを許容する夫々の爪形状の保持用凹所３２を備える。
【００２８】
（保持用凹所３２の存在に関して付加又は改変され得る）可能的で非限定的な実施例に依れば、引き出し用開口２４の逆側である容器２の側壁部７は、引出し２３自体がその開き位置に向けて摺動することを許容すべく、ユーザが側壁部７自体を貫通して、引出し２３の対応する側壁部２８に対して力を及ぼすことを許容する如き形態及び寸法を有する孔を有する。
【００２９】
図７に示された如く、容器２及び蓋体８は、実質的に矩形の長寸形状を有する平坦な素材３３から開始して獲得される。素材３３は、２本の縦方向折り目３４と、複数本の横方向折り目３５であって、２本の縦方向折り目３４の間に、蓋体８の前壁部１１を構成するパネル１１'、蓋体８の頂壁部１０を構成するパネル１０'、蓋体８の後壁部１２を構成するパネル１２'、容器２の後壁部６を構成するパネル６'、容器２の底壁部４を構成するパネル４'、及び、容器２の前壁部５を構成するパネル５'を形成する複数本の横方向折り目３５とを有する。
【００３０】
パネル５'は、該パネル５'の両側上に夫々配置された２つの翼部７'であって、各縦方向折り目３４により該パネル５'に対して接続され、且つ、容器２の２つの側壁部７の外側部分を構成する２つの翼部７'を有する。パネル６'は、該パネル６'の両側上に夫々配置された２つの翼部７"であって、各縦方向折り目３４により該パネル６'に対して接続され、且つ、容器２の２つの側壁部７の内側部分を構成する２つの翼部７"を有する。パネル１１'は、該パネル１１'の両側上に夫々配置された２つの翼部１３'であって、各縦方向折り目３４により該パネル１１'に対して接続され、且つ、蓋体８の２つの側壁部１３の外側部分を構成する２つの翼部１３'を有する。パネル１２'は、該パネル１２'の両側上に夫々配置された２つの翼部１３"であって、各縦方向折り目３４により該パネル１２'に対して接続され、且つ、蓋体８の２つの側壁部１３の内側部分を構成する２つの翼部１３"を有する。
【００３１】
パネル５'は、対応する翼部７'と並置して配置された付加的翼部３０'であって、縦方向折り目３４に沿って該パネル５'に対して接続され、且つ、限界停止デバイス２９の停止タブ３０を構成する付加的翼部３０'も備える。同様に、パネル６'は、対応する翼部７"と並置して配置された付加的翼部３０'であって、縦方向折り目３４に沿って該パネル６'に対して接続され、且つ、限界停止デバイス２９の停止タブ３０を構成する付加的翼部３０'も備える。
【００３２】
１つの翼部７"は、横方向折り目３５により該翼部７"に対して接続されたタブ３６であって、９０°折り曲げられてパネル４'の内側面に対して接着されるタブ３６を有する。パネル４'は、縦方向折り目３４により該パネル４'に対して接続されたタブ３７であって、該パネル４'に対して１８０°折り曲げられて該パネル４'の内側面に対して接着されるタブ３７を備える。
【００３３】
各翼部１３"は、該翼部１３"に対して横方向折り目３５により接続されると共に、パネル１０'の内側面に対して接着されるべく９０°だけ折り曲げられるタブ３８を有する。
【００３４】
最後に、パネル１１'は、該パネル１１'に対して横方向折り目３５により接続されると共に、該パネル１１'自体の内側面に対して接着されるべく該パネル１１'に対して１８０°だけ折り曲げられるフラップ３９を有する。
【００３５】
図８に示された如く、カラー１４は、該カラー１４の前壁部１５を構成するパネル１５'と、該カラー１４の分割壁部１９を構成するパネル１９'と、該カラー１４の接続タブ２０を構成するパネル２０'とを有する素材４０から開始して獲得される。パネル１５'に対しては、カラー１４の各側壁部１６を構成する２つの翼部１６'が接続される。各翼部１６'は、パネル１９'の内側面に対して接着されるべく９０°だけ折り曲げられるタブ４１を有する。
【００３６】
図９に示された如く、引出し２３は、実質的に矩形形状を有する平坦な素材４２から開始して獲得される。素材４２は、２本の縦方向折り目４３と、複数本の横方向折り目４４であって、２本の縦方向折り目４３の間に、（不図示の）引出し２３の頂壁部の外側部分を構成するパネル４５'と、引出し２３の前壁部２６を構成するパネル２６'と、引出し２３の底壁部２５を構成するパネル２５'と、引出し２３の後壁部２７を構成するパネル２７'と、引出し２３の頂壁部の内側部分を構成するパネル４５"とを形成する複数本の横方向折り目４４とを有する。
【００３７】
パネル２６'は、該パネル２６'の両側上に夫々配置された２つの翼部２８'であって、各縦方向折り目４３により該パネル２６'に対して接続され、且つ、引出し２３の２つの側壁部２８の外側部分を構成する２つの翼部２８'を有する。パネル２７'は、該パネル２７'の両側上に夫々配置された２つの翼部２８"であって、縦方向折り目４３により該パネル２７'に対して接続され、且つ、引出し２３の２つの側壁部２８の内側部分を構成する２つの翼部２８'を有する。
【００３８】
各翼部２８"は、該翼部２８"に対して横方向折り目４４により接続されると共に、パネル２５'の内側面に対して接着されるべく９０°だけ折り曲げられるタブ４６を有する。
【００３９】
パネル２６'及び２７'の内側には、貫通窓部が配備され、そこには、各停止タブ３１'を構成する付属部３１'が実現される。
【００４０】
図１〜図５に示された実施例において、引出し２３は、（図９に示された素材４２のパネル４５'及び４５"においてのみ視認可能である）頂壁部であって、引出し２３の内部に対して頂部からのアクセスを許容すべく限られた延在範囲を有する頂壁部を備え得る。代替実施例に依れば、引出し２３は頂壁部を有さない。
【００４１】
図１０には、容器２及び蓋体８を構成すべく図７に示された素材３３の代替例が示される。図１０に示された素材３３は“Ｌ”形状を有し、その場合、翼部７'は、一辺にては、容器２の後壁部６を構成するパネル６'に対して縦方向折り目３４に沿って接続され、且つ、他辺にては、容器２の前壁部５を構成するパネル５'に対して更なる縦方向折り目３４に沿って接続される。これに加え、図１０に示された素材３３は、パネル５'及び６'に対して横方向折り目３５により夫々接続されると共に一方を他方上として重畳されて容器２の底壁部４を形成する２枚の別個のパネル４'及び４"を有する。最後に、図１０に示された素材３３において、タブ３６は、翼部７'に対して接続されると共に、パネル４"の内側面に対して接着されるべく該翼部７'に対して９０°だけ折り曲げられる。
【００４２】
図１〜図５に示された実施例において、引出し２３は、横方向に（すなわち、容器２の底壁部４及び蓋体８の頂壁部１０に対して平行であり、且つ、容器２の各側壁部７及び蓋体８の各側壁部１３に対して直交する移動方向に）移動することから、引出し２３に対する引き出し用開口２４は、容器２の側壁部７を貫通して形成される。図１１〜図１３に示された代替実施例において、引出し２３は、縦方向に（すなわち、蓋体８の頂壁部１０に対して直交し、且つ、容器２の各側壁部７及び蓋体８の各側壁部１３に対して平行である移動方向に）移動することから、引出し２３に対する引き出し用開口２４は、容器２の底壁部４を貫通して形成されると共に、好適には、完全に容器２の底壁部４に置き換わる（すなわち、容器２の底壁部４は、もはや存在せず、引き出し用開口２４により完全に置き換えられる）。
【００４３】
頂部チャンバ１７の領域において（すなわち、蓋体８、包装体３及びカラー１４の領域において）図１１〜図１３に示されたタバコの箱体１は、図１〜図５に示されたタバコの箱体１と完全に同一的であることを銘記することが重要である。
【００４４】
図１３に示された如く、引出し２３の側壁部２８は円形状のアクセス開口４７を有し（明らかに、円形以外の他の任意の形式の形状が可能であり得）、これを通し、引出し２３の内部にアクセス（特に、物体を挿入）することが可能であり、不図示の代替実施例に依れば、アクセス開口４７は、引出し２３の前壁部２６又は後壁部２７に形成される（引出し２３の別個の壁部に数個のアクセス開口４７を配備することも可能である）。図１１〜図１３に示された実施例において、アクセス開口４７は、（図１３に示された如く）引出し２３が引出されたときにのみアクセス可能（故に、視認可能）であり、且つ、（図１１及び図１２に示された如く）引出し２３が閉じられたときにはアクセス可能（故に、視認可能）でないことを銘記することが重要である。図１１〜図１３に示された実施例においては、図１〜図５に示された実施例において示された如く容器２の各側壁部７の領域に形成される代わりに、各保持用凹所３２は、容器２の前壁部５及び後壁部６の領域に形成される。
【００４５】
図１１〜図１３に示された実施例において、限界停止デバイス２９の２つの停止タブ３１は、夫々、引出し２３の前壁部２６の頂縁部、及び、引出し２３の後壁部２７の頂縁部に対して接続され、同様に、限界停止デバイス２９の２つの停止タブ３０は、夫々、容器２の前壁部５の底縁部、及び、容器２の後壁部６の底縁部に対して接続される。
【００４６】
図１１〜図１３に示された実施例において、引出し２３は頂壁部を完全に有さないが、不図示の代替例に依れば、引出し２３は該引出し２３を完全に閉じ得る頂壁部も備え得る、と言うのも、該引出し２３は、アクセス開口４７を通して横方向からアクセス可能であり、且つ、上方からはアクセス可能とされるべきではないからである。
【００４７】
図１４に示された如く、図１１〜図１３に示されたタバコの箱体１の容器２及び蓋体８は、図７に示された平坦な素材３３と同様の平坦な素材３３から開始して獲得される。図７に示された素材３３と図１４に示された素材３３との間の相違は、限界停止デバイス２９の各停止タブ３０を構成する各翼部３０'の異なる位置決めと、図１４に示された素材３３において、容器２の底壁部４を構成するパネル４'の省略とに在る。特に、図１４に示された素材３３において、２つのパネル６'及び５'は最初は、２つの対応する翼部３０'を接続する裂断可能ライン４７であって、素材３３の折り曲げの間に裂断されて２つの翼部３０'を分離する裂断可能ライン４７により接続されている。換言すると、図１４に示された素材３３において、パネル４'は、相互に対向された２つの翼部３０'であって、素材３３の折り曲げの間に裂断されて２つの翼部３０'自体を分離する裂断可能ライン４７により相互に対して接続される２つの翼部３０'により置き換えられる。
【００４８】
図１１〜図１３に示されたタバコの箱体１のカラー１４を構成すべく使用される素材４０は、図１〜図５に示されたタバコの箱体１のカラー１４を構成すべく使用される（図８に示された）素材４０と完全に同一的である。
【００４９】
図１５に示された如く、図１１〜図１３に示されたタバコの箱体１の引出し２３は、図９に示された平坦な素材４２と同様の平坦な素材４２から開始して獲得される。図９に示された素材４２と図１５に示された素材４２との間の相違は、限界停止デバイス２９の各停止タブ３１を構成する各翼部３１'の異なる位置決めと、図１５に示された素材４２において引出し２３の頂壁部を構成するパネル４５'及び４５"の省略と、図１５に示された素材４２において、相互に重畳してアクセス開口４７を構成する孔４７'及び４７"の存在とに在る。好適には、２つの孔４７'及び４７"の間の一切の誤整列が外側から認識されることを阻止するために、（引出し２３の側壁部２８の内側部分を構成する）翼部２８"に形成された孔４７"は、（引出し２３の側壁部２８の外側部分を構成する）翼部２８'に形成された孔４７'よりも僅かに大寸の直径を有する。
【００５０】
図１６〜図１９には、図１１〜図１３に示されたタバコの箱体１の代替例が示され、これは、２つの細部に対してのみ、図１１〜図１３に示されたタバコの箱体１と異なる。容器２の前壁部５及び後壁部６の領域、及び、容器２の各側壁部７の領域の両方において保持用凹所３２が形成される（すなわち、他の実施例における２つのみの保持用凹所３２の代わりに４つの保持用凹所３２が配備される）こと、及び、引出し２３の側壁部２８に形成されたアクセス開口４９が、容器２の側壁部７に形成された同様のアクセス開口４９により置き換えられること。特に、引出し２３が（図１６に示された如き）閉じ位置に在るときにさえもアクセス開口４９は常に視認可能であるが、それは、引出し２３が閉じ位置にあるときに該引出し２３の対応する側壁部２８により内部的に閉鎖されることから、引出し２３が（図１８に示された如き）開き位置に在るときにのみ使用可能となる。
【００５１】
図１９に示された如く、図１６〜図１９に示されたタバコの箱体１の容器２及び蓋体８は、図１４に示された平坦な素材３３と殆ど同一である平坦な素材３３から開始して獲得されるが、後者は、前者から、翼部７'及び７"にもおける保持用凹所３２の存在と、相互に重畳されてアクセス開口４９を構成する孔４９'及び４９"の存在とに対してのみ異なるものである。好適には、２つの孔４９'及び４９"の間の一切の誤整列が外側から認識されることを阻止するために、（容器２の側壁部７の内側部分を構成する）翼部７"に形成された孔４９"は、（容器２の側壁部７の外側部分を構成する）翼部７'に形成された孔４９'よりも僅かに大寸の直径を有する。
【００５２】
図１６〜図１９に示されたタバコの箱体１のカラー１４を構成すべく使用される素材４０は、図１１〜図１３に示されたタバコの箱体１のカラー１４を構成すべく使用される素材４０、及び、図１〜図５に示されたタバコの箱体１のカラー１４を構成すべく使用される（図８に示された）素材４０と完全に同一的である。
【００５３】
図２０に示された如く、図１１〜図１３に示されたタバコの箱体１の引出し２３は、図１５に示された平坦な素材４２と殆ど同一である平坦な素材４２から開始して獲得されるが、後者は、前者とは、相互に重畳してアクセス開口４７を構成する孔４７'及び４７"の省略に対してのみ異なるものである。
【００５４】
添付図面に示された各実施例において、縦方向及び横方向の縁部は直線状であるが、代替的に、縦方向及び／又は横方向の縁部は、丸み付けされ、又は、斜端面形成され得る。
【００５５】
上述されたタバコの箱体１は、多くの利点を有している。
【００５６】
第１に、習用的なタバコよりも相当に短寸である新世代HeatStickタバコを収容する上述のタバコの箱体１は、習用的なタバコの箱体のサイズと全体的に同様のサイズを有し、この様にして、上述されたタバコの箱体１の取扱い（特に、タバコの抜き取り）は、全てのユーザに対して容易かつ迅速である。
【００５７】
これに加え、上述されたタバコの箱体１において、（一群の新世代HeatStickタバコを収納する）包装体３により使用されないスペース、すなわち、底部チャンバ１８は、無益（すなわち、無駄）なのではなく、付属具を収容し、又は、既に使用されたことから消耗されたタバコを収容すべく使用可能な容器として利用される。特に、底部チャンバ１８に対するアクセスは、必要とされたときに容易に開閉され得る引出し２３の存在に依り、非常に簡単で便利である。
【００５８】
何かを挿入し／取出すために引出される必要がある引出し２３の存在によれば、引出し２３内に収容されたものが、たとえば、タバコの箱体１がスーツのポケット内又は財布内に収納されたときに偶発的には脱落しないことも確実とされる。
【００５９】
最後に、上述されたタバコの箱体１は、（僅かな内容の幾つかの変更のみを必要とする）標準的な包装機において容易に製造され得ることから、それの製造は、高価で特殊な（すなわち、この形式のタバコの箱体に対して特に設計された）包装機の使用を必要としない。この結果が達成されるのは、素材３３及び４０は、対応する習用的な素材と完全に同様であり、且つ、引出し２３は、事前に組立てられると共に、（たとえば、クーポンを供給する既存スペースを利用して、各包装体３と並置して配置された引出し２３を供給し、包装体３３上に順次的に布置される包装体ユニット３／引出し２３を形成することにより）該引出しは、包装体３と共に素材３３に対して結合されるからである。
【００６０】
上述されたタバコの箱体１は、上述のHeatStickタバコに加え、電子タバコ用の詰替えカートリッジの如き減少高さの煙草物品を収容すべく好適に使用され得ることを指摘することが重要である。
【図１】
2019516631.tif 000003
【図２】
2019516631.tif 000004
【図３】
2019516631.tif 000005
【図４】
2019516631.tif 000006
【図５】
2019516631.tif 000007
【図６】
2019516631.tif 000008
【図７】
2019516631.tif 000009
【図８】
2019516631.tif 000010
【図９】
2019516631.tif 000011
【図１０】
2019516631.tif 000012
【図１１】
2019516631.tif 000013
【図１２】
2019516631.tif 000014
【図１３】
2019516631.tif 000015
【図１４】
2019516631.tif 000016
【図１５】
2019516631.tif 000017
【図１６】
2019516631.tif 000018
【図１７】
2019516631.tif 000019
【図１８】
2019516631.tif 000020
【図１９】
2019516631.tif 000021
【図２０】
2019516631.tif 000022
【手続補正書】
【提出日】平成30年1月26日(2018.1.26)
【手続補正１】
【補正対象書類名】明細書
【補正対象項目名】００１１
【補正方法】変更
【補正の内容】
【００１１】
【図１】本発明に従い作成されていない共に閉じ形態に在るタバコの箱体の前方斜視図である。
【図２】閉じ形態における図１のタバコの箱体の後方斜視図である。
【図３】頂部において開かれた形態における図１のタバコの箱体の前方斜視図である。
【図４】図１のタバコの箱体の頂部部分の概略的な縦断面図である。
【図５】底部にて開かれた形態における図１のタバコの箱体の前方斜視図である。
【図６】図１のタバコの箱体の底部部分の概略的な断面図である。
【図７】図１のタバコの箱体の容器及び蓋体を構成すべく使用される素材の平面図である。
【図８】図１のタバコの箱体のカラーを構成すべく使用される素材の平面図である。
【図９】図１のタバコの箱体の引出しを構成すべく使用される素材の平面図である。
【図１０】図７の素材の代替例の平面図である。
【図１１】本発明に従い作成されると共に閉じ形態に在るタバコの箱体の別実施例の前方斜視図である。
【図１２】閉じ形態における図１１のタバコの箱体の後方斜視図である。
【図１３】底部から開かれた形態における図１１のタバコの箱体の前方斜視図である。
【図１４】図１１のタバコの箱体の容器及び蓋体を構成すべく使用される素材の平面図である。
【図１５】図１１のタバコの箱体の引出しを構成すべく使用される素材の平面図である。
【図１６】図１１のタバコの箱体の代替例の閉じ形態における前方斜視図である。
【図１７】閉じ形態における図１６のタバコの箱体の後方斜視図である。
【図１８】底部にて開かれた形態における図１６のタバコの箱体の前方斜視図である。
【図１９】図１６のタバコの箱体の容器及び蓋体を構成すべく使用される素材の平面図である。
【図２０】図１６のタバコの箱体の引出しを構成すべく使用される素材の平面図である。
【手続補正２】
【補正対象書類名】明細書
【補正対象項目名】００４２
【補正方法】変更
【補正の内容】
【００４２】
（本発明によらない）図１〜図５に示された実施例において、引出し２３は、横方向に（すなわち、容器２の底壁部４及び蓋体８の頂壁部１０に対して平行であり、且つ、容器２の各側壁部７及び蓋体８の各側壁部１３に対して直交する移動方向を以て）移動することから、引出し２３に対する引き出し用開口２４は、容器２の側壁部７を貫通して形成される。（本発明による）図１１〜図１３に示された代替実施例において、引出し２３は、縦方向に（すなわち、蓋体８の頂壁部１０に対して直交し、且つ、容器２の各側壁部７及び蓋体８の各側壁部１３に対して平行である移動方向を以て）移動することから、引出し２３に対する引き出し用開口２４は、容器２の底壁部４を貫通して形成されると共に、好適には、完全に容器２の底壁部４に置き換わる（すなわち、容器２の底壁部４は、もはや存在せず、引き出し用開口２４により完全に置き換えられる）。
【手続補正３】
【補正対象書類名】特許請求の範囲
【補正対象項目名】全文
【補正方法】変更
【補正の内容】
【特許請求の範囲】
【請求項１】
一群の煙草物品と、
前記一群の煙草物品を収容し、且つ、頂部開口と、前壁部（６）と、前記前壁部（６）に対向する後壁部（８）と、相互に対向する２つの側壁部（７）とを備える容器（２）と、
頂壁部（１０）と、前壁部（１１）と、前記前壁部（１１）に対向すると共に前記容器（２）の前記後壁部（６）に対して接続された後壁部（１２）と、相互に対向する２つの側壁部（１３）とを備える蓋体（８）と、
引出し（２３）が完全に前記容器（２）の内部に配置される閉じ位置と、前記引出し（２３）が前記容器（２）から部分的に引き出され、前記容器（２）から外方に突出し、且つ、外部からアクセス可能である開き位置との間における摺動様式で前記容器（２）内に取付けられた引出し（２３）と、
前記容器（２）からの前記引出し（２３）の外方移動を停止させる機能、すなわち、前記引出し（２３）が前記容器（２）から完全に引き出されることを阻止することにより前記容器（２）からの前記引出し（２３）の外方移動に対する最大限度を確立する機能を達成する限界停止デバイス（２９）とを備える、煙草物品用の剛性箱体（１）であって、
前記引出し（２３）は、底壁部（２５）と、前壁部（２６）と、前記前壁部（２６）に対向する後壁部（２７）と、相互に対向する２つの側壁部（２８）とを備え、且つ、
前記容器（２）の内側容積空間は、前記一群の煙草物品を収容する頂部チャンバ（１７）と、前記引出し（２３）を収容する底部チャンバ（１８）とに分割される、煙草物品用の剛性箱体（１）において、
前記容器（２）は、前記頂部開口とは逆側の引き出し用開口（２４）であって、前記引出し（２３）が貫通して移動する引き出し用開口（２４）を有し、且つ、
前記引出し（２３）は、縦方向に、すなわち、前記蓋体（８）の前記頂壁部（１０）に対して直交し、且つ、前記容器（２）の前記各側壁部（７）及び前記蓋体（８）の前記各側壁部（１３）に対して平行である移動方向に、移動する、煙草物品用の剛性箱体（１）。
【請求項２】
前記限界停止デバイス（２９）は、
各々が、前記引出し（２３）が貫通して移動する引き出し用開口（２４）の縁部の領域において前記容器（２）の壁部（７、５、６）に対して接続され、且つ、前記容器（２）の内側に向けて突出する２つの第１停止タブ（３０）と、
各々が、前記引出し（２３）の壁部（２８、２６、２７）に対して接続され、且つ、前記引出し（２３）の外側に向けて突出する２つの第２停止タブ（３１）と、を備える、請求項１に記載の煙草物品用の剛性箱体（１）。
【請求項３】
前記蓋体（８）の前記頂壁部（１０）に対して平行であり、且つ、前記頂部チャンバ（１７）を前記底部チャンバ（１８）から分離する分割壁部（１９）が配備される、請求項１又は２に記載の煙草物品用の剛性箱体（１）。
【請求項４】
Ｕ字形状に折り曲げられ、頂端部から部分的に外方に突出すべく前記容器（２）の内部に配置された剛性カラー（１４）であって、相互に対向する前壁部（１５）及び２つの側壁部（１６）を備える剛性カラー（１４）を備える、請求項１、２又は３に記載の煙草物品用の剛性箱体（１）。
【請求項５】
前記剛性カラー（１４）は、前記蓋体（８）の前記頂壁部（１０）に平行な分割壁部（１９）であって、前記頂部チャンバ（１７）を前記底部チャンバ（１８）から分離する分割壁部（１９）を備え、
前記分割壁部（１９）は、前記剛性カラー（１４）の前記前壁部（１５）に対して横方向折り目に沿って接続され、且つ、前記剛性カラー（１４）の前記前壁部（１５）に対して９０°だけ折り曲げられ、且つ、
前記分割壁部（１９）は、前記分割壁部（１９）に対して横方向折り目に沿って接続された接続タブ（２０）であって、前記分割壁部（１９）に対して９０°だけ折り曲げられ、且つ、前記容器（２）の前記後壁部（６）に当接して着座し且つそれに対して接着される接続タブ（２０）を備えている、請求項４に記載の煙草物品用の剛性箱体（１）。
【請求項６】
前記限界停止デバイス（２９）は、各々が、前記引出し（２３）が貫通して移動する引き出し用開口（２４）の縁部の領域において前記容器（２）の壁部（７、５、６）に対して接続され、且つ、前記容器（２）の内側に向けて突出する２つの第１停止タブ（３０）と、各々が、前記引出し（２３）の壁部（２８、２６、２７）に対して接続され、且つ、前記引出し（２３）の外側に向けて突出する２つの第２停止タブ（３１）と、を備え、
前記容器（２）及び前記蓋体（８）は、前記容器（２）の前記後壁部（６）を構成する第１パネル（６'）と、前記容器（２）の前記前壁部（５）を構成する第２パネル（５'）とを有する素材（３３）を折り曲げることにより獲得され、
前記第４パネル（６'）と前記第５パネル（５'）との間において、前記素材（３３）には、前記２つの第１停止タブ（３０）を構成する２つの翼部（３０'）であって、各々が対応するパネル（５'、６'）に対して横方向折り目（３５）に沿って接続される２つの翼部（３０'）が介設され、且つ、
前記２つの第１停止タブ（３０）を構成する前記２つの翼部（３０'）は、最初は、前記２つの翼部（３０'）を分離するために前記素材（３３）の折り曲げの間に裂断される裂断可能ライン（４７）により接続されている、請求項１〜５のいずれか一項に記載の煙草物品用の剛性箱体（１）。
【請求項７】
前記引出し（２３）の壁部（２８）は第１アクセス開口（４７）を有し、それを通してユーザは前記引出し（２３）の内部にアクセスし得る、請求項１〜６のいずれか一項に記載の煙草物品用の剛性箱体（１）。
【請求項８】
前記容器の壁部（７）は第２アクセス開口（４９）を有し、それを通してユーザは前記引出し（２３）の内部にアクセスし得る、請求項１〜７のいずれか一項に記載の煙草物品用の剛性箱体（１）。
【請求項９】
前記引出し（２３）は頂壁部（４５）を備える、請求項１〜８のいずれか一項に記載の煙草物品用の剛性箱体（１）。
【請求項１０】
前記容器（２）の少なくとも２つの壁部（５、６、７）は、内側に位置する前記引出し（２３）の壁部（２６、２７、２８）をユーザが把持することを許容する夫々の爪形状の保持用凹所（３２）を備える、請求項１〜９のいずれか一項に記載の煙草物品用の剛性箱体（１）。
【請求項１１】
前記頂部チャンバ（１７）及び前記底部チャンバ（１８）は、全容積の半分に等しい同一の容積を有する、請求項１〜１０のいずれか一項に記載の煙草物品用の剛性箱体（１）。
【請求項１２】
前記煙草物品は、エーロゾルを生成すべく電気抵抗器により加熱されるに適した実際の煙草で作成された円筒体から成るタバコである、請求項１〜１１のいずれか一項に記載の煙草物品用の剛性箱体（１）。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
一群の煙草物品と、
前記一群の煙草物品を収容し、且つ、頂部開口と、前壁部（６）と、前記前壁部（６）に対向する後壁部（８）と、相互に対向する２つの側壁部（７）とを備える容器（２）と、
頂壁部（１０）と、前壁部（１１）と、前記前壁部（１１）に対向すると共に前記容器（２）の前記後壁部（６）に対して接続された後壁部（１２）と、相互に対向する２つの側壁部（１３）とを備える蓋体（８）と、
引出し（２３）が完全に前記容器（２）の内部に配置される閉じ位置と、前記引出し（２３）が前記容器（２）から部分的に引き出され、前記容器（２）から外方に突出し、且つ、外部からアクセス可能である開き位置との間における摺動様式で前記容器（２）内に取付けられた引出し（２３）と、
前記容器（２）からの前記引出し（２３）の外方移動を停止させる機能、すなわち、前記引出し（２３）が前記容器（２）から完全に引き出されることを阻止することにより前記容器（２）からの前記引出し（２３）の外方移動に対する最大限度を確立する機能を達成する限界停止デバイス（２９）と、
前記蓋体（８）の前記頂壁部（１０）に対して平行であり、且つ、前記一群の煙草物品を収容する前記頂部チャンバ（１７）を、前記引出し（２３）を収容する前記底部チャンバ（１８）から分離する分割壁部（１９）とを備える、煙草物品用の剛性箱体（１）であって、
前記引出し（２３）は、底壁部（２５）と、前壁部（２６）と、前記前壁部（２６）に対向する後壁部（２７）と、相互に対向する２つの側壁部（２８）とを備える、煙草物品用の剛性箱体（１）において、
前記容器（２）は、前記頂部開口とは逆側の引き出し用開口（２４）であって、前記引出し（２３）が貫通して移動する引き出し用開口（２４）を有し、且つ、
前記引出し（２３）は、縦方向に、すなわち、前記蓋体（８）の前記頂壁部（１０）に対して直交し、且つ、前記容器（２）の前記各側壁部（７）及び前記蓋体（８）の前記各側壁部（１３）に対して平行である移動方向に、移動する、煙草物品用の剛性箱体（１）。
【請求項２】
前記限界停止デバイス（２９）は、
各々が、前記引出し（２３）が貫通して移動する引き出し用開口（２４）の縁部の領域において前記容器（２）の壁部（７、５、６）に対して接続され、且つ、前記容器（２）の内側に向けて突出する２つの第１停止タブ（３０）と、
各々が、前記引出し（２３）の壁部（２８、２６、２７）に対して接続され、且つ、前記引出し（２３）の外側に向けて突出する２つの第２停止タブ（３１）と、を備える、請求項１に記載の煙草物品用の剛性箱体（１）。
【請求項３】
Ｕ字形状に折り曲げられ、頂端部から部分的に外方に突出すべく前記容器（２）の内部に配置された剛性カラー（１４）であって、相互に対向する前壁部（１５）及び２つの側壁部（１６）を備える剛性カラー（１４）を備える、請求項１又は２に記載の煙草物品用の剛性箱体（１）。
【請求項４】
前記剛性カラー（１４）は、前記蓋体（８）の前記頂壁部（１０）に平行な分割壁部（１９）であって、前記頂部チャンバ（１７）を前記底部チャンバ（１８）から分離する分割壁部（１９）を備え、
前記分割壁部（１９）は、前記剛性カラー（１４）の前記前壁部（１５）に対して横方向折り目に沿って接続され、且つ、前記剛性カラー（１４）の前記前壁部（１５）に対して９０°だけ折り曲げられ、且つ、
前記分割壁部（１９）は、前記分割壁部（１９）に対して横方向折り目に沿って接続された接続タブ（２０）であって、前記分割壁部（１９）に対して９０°だけ折り曲げられ、且つ、前記容器（２）の前記後壁部（６）に当接して着座し且つそれに対して接着される接続タブ（２０）を備えている、請求項３に記載の煙草物品用の剛性箱体（１）。
【請求項５】
前記限界停止デバイス（２９）は、各々が、前記引出し（２３）が貫通して移動する引き出し用開口（２４）の縁部の領域において前記容器（２）の壁部（７、５、６）に対して接続され、且つ、前記容器（２）の内側に向けて突出する２つの第１停止タブ（３０）と、各々が、前記引出し（２３）の壁部（２８、２６、２７）に対して接続され、且つ、前記引出し（２３）の外側に向けて突出する２つの第２停止タブ（３１）と、を備え、
前記容器（２）及び前記蓋体（８）は、前記容器（２）の前記後壁部（６）を構成する第１パネル（６'）と、前記容器（２）の前記前壁部（５）を構成する第２パネル（５'）とを有する素材（３３）を折り曲げることにより獲得され、
前記第４パネル（６'）と前記第５パネル（５'）との間において、前記素材（３３）には、前記２つの第１停止タブ（３０）を構成する２つの翼部（３０'）であって、各々が対応するパネル（５'、６'）に対して横方向折り目（３５）に沿って接続される２つの翼部（３０'）が介設され、且つ、
前記２つの第１停止タブ（３０）を構成する前記２つの翼部（３０'）は、最初は、前記２つの翼部（３０'）を分離するために前記素材（３３）の折り曲げの間に裂断される裂断可能ライン（４７）により接続されている、請求項１〜４のいずれか一項に記載の煙草物品用の剛性箱体（１）。
【請求項６】
前記引出し（２３）の壁部（２８）は第１アクセス開口（４７）を有し、それを通してユーザは前記引出し（２３）の内部にアクセスし得る、請求項１〜５のいずれか一項に記載の煙草物品用の剛性箱体（１）。
【請求項７】
前記容器の壁部（７）は第２アクセス開口（４９）を有し、それを通してユーザは前記引出し（２３）の内部にアクセスし得る、請求項１〜６のいずれか一項に記載の煙草物品用の剛性箱体（１）。
【請求項８】
前記引出し（２３）は頂壁部（４５）を備える、請求項１〜７のいずれか一項に記載の煙草物品用の剛性箱体（１）。
【請求項９】
前記容器（２）の少なくとも２つの壁部（５、６、７）は、内側に位置する前記引出し（２３）の壁部（２６、２７、２８）をユーザが把持することを許容する夫々の爪形状の保持用凹所（３２）を備える、請求項１〜８のいずれか一項に記載の煙草物品用の剛性箱体（１）。
【請求項１０】
前記頂部チャンバ（１７）及び前記底部チャンバ（１８）は、全容積の半分に等しい同一の容積を有する、請求項１〜９のいずれか一項に記載の煙草物品用の剛性箱体（１）。
【請求項１１】
前記煙草物品は、エーロゾルを生成すべく電気抵抗器により加熱されるに適した実際の煙草で作成された円筒体から成るタバコである、請求項１〜１０のいずれか一項に記載の煙草物品用の剛性箱体（１）。
【国際調査報告】
2019516631.tif 000023
2019516631.tif 000024